(57)【特許請求の範囲】
【請求項１】
軸部材に回動自在に取り付けた電池ホルダを開状態にしてボタン形電池を電池ホルダに保持させた後に、電池ホルダを閉状態にすると電池収納部にボタン形電池が収納されるボタン形電池収納構造において、前記電池ホルダを開状態にしてボタン形電池の外周面で前記電池収納部の開口部を塞ぐようにすると、ボタン形電池の外周面が前記開口部の縁部と電池ホルダの壁面部の端部に当接し、更にボタン形電池を電池収納部に押し込むと電池ホルダが回動しながらボタン形電池を保持して電池収納部に収納されるように、前記開口部の縁部の位置と前記壁面部の端部の位置と前記軸部材と係合する電池ホルダの回動溝の位置が設定されていることを特徴とするボタン形電池収納構造。
【発明の詳細な説明】
【０００１】
【発明の属する技術分野】
本発明は、ボタン形電池を電池ホルダに保持させた状態で電池収納部に収納するボタン形電池収納構造に関する。
【０００２】
【従来の技術】
従来、挿耳形補聴器の電池収納構造としては、図６に示すように、回動自在な電池ホルダ１０１を開状態にしてボタン形電池１００を電池ホルダ１０１に保持させた後に、電池ホルダ１０１を閉状態にすることによってシェル１０２内の電池収納部に収納するものが知られている。
【０００３】
【発明が解決しようとする課題】
しかし、図６に示す電池収納構造においては、電池ホルダ１０１を開状態にして電池収納部の開口部１０３から直接ボタン形電池１００を電池収納部に強引に押し込んで装填しようとすると、図７に示すように、電池ホルダ１０１の端部１０１ａがボタン形電池１００の外周面１００ａに乗り上げ、電池ホルダ１０１を回動自在に取り付けた軸部分に予期せぬ力が掛りその部分を破損してしまう。
また、ボタン形電池１００が電池収納部に収納されたとしても電池ホルダ１０１に保持されていないため、ボタン形電池１００が電極片と正しく接触せず、しかもボタン形電池１００を電池収納部から取り出すことが困難になってしまう。一方、ボタン形電池１００を直接開口部１０３から電池収納部に入れることができない構造を電池ホルダ１０１に加えると、ボタン形電池１００を電池ホルダ１０１に装填し難くなり、使い勝手が悪くなってしまう。
【０００４】
本発明は、従来の技術が有するこのような問題点に鑑みてなされたものであり、その目的とするところは、ボタン形電池を電池ホルダに保持させた後でも、直接電池収納部の開口部に押し込んでも、ボタン形電池を電池ホルダが保持した状態で電池収納部に収納することができるボタン形電池収納構造を提供しようとするものである。
【０００５】
【課題を解決するための手段】
上記課題を解決すべく本発明は、軸部材に回動自在に取り付けた電池ホルダを開状態にしてボタン形電池を電池ホルダに保持させた後に、電池ホルダを閉状態にすると電池収納部にボタン形電池が収納されるボタン形電池収納構造において、前記電池ホルダを開状態にしてボタン形電池の外周面で前記電池収納部の開口部を塞ぐようにすると、ボタン形電池の外周面が前記開口部の縁部と電池ホルダの壁面部の端部に当接し、更にボタン形電池を電池収納部に押し込むと電池ホルダが回動しながらボタン形電池を保持して電池収納部に収納されるように、前記開口部の縁部の位置と前記壁面部の端部の位置と前記軸部材と係合する電池ホルダの回動溝の位置が設定されているものである。
【０００６】
【発明の実施の形態】
以下に本発明の実施の形態を添付図面に基づいて説明する。ここで、図１は本発明に係るボタン形電池収納構造を適用した挿耳形補聴器の斜視図、図２は電池ホルダを外した挿耳形補聴器の斜視図、図３は挿耳形補聴器の部分断面斜視図、図４はボタン形電池を開口部に載置した状態の挿耳形補聴器の斜視図、図５は本発明に係るボタン形電池収納構造の作用説明図である。
【０００７】
本発明に係るボタン形電池収納構造を適用した挿耳形補聴器は、図１に示すように、樹脂製のシェル１とフェースプレート２でケース体３を形成し、ケース体３の内部にボタン形電池４を収納する電池収納部５を設けている。更に、ケース体３の内部には、マイクロホン、補聴処理部やイヤホンなどの補聴器を構成する部品が配設されている。
【０００８】
フェースプレート２には、電池収納部５にボタン形電池４を装填するための開口部６が形成され、更に開口部６の縁部６ａ近傍に架設した軸部材７には、ボタン形電池４を保持して電池収納部５に収納する電池ホルダ８が回動自在に取り付けられている。なお、９はメインボリューム、１０は半固定トリマ、１１はマイクカバー、１２は半固定トリマ、１３は電池収納部５に配設された電極片である。
【０００９】
電池ホルダ８は、図１及び図３に示すように、弾性を有する樹脂からなり、ボタン形電池４の上面４ａ又は底面４ｂに当接する底部材８ａと、ボタン形電池４の外周面４ｃに沿って周設される壁面部８ｂと、軸部材７と係合する回動溝８ｃと、指先を引っ掛けて電池ホルダ８を開状態にするための突起部８ｄを備えている。
また、電池ホルダ８を閉状態にした場合には、壁面部８ｂが開口部６を覆って電池収納部５の蓋体の役目を果たす。
【００１０】
電池ホルダ８の壁面部８ｂは、ボタン形電池４を確実に保持すべくボタン形電池４の外周の半周分を超えるように形成されている。そして、ボタン形電池４は、主に壁面部８ｂの両端部８ｅ，８ｆで保持される。
【００１１】
また、電池ホルダ８を開状態にした時に、ボタン形電池４をその外周面４ｃが電池収納部５の開口部６を塞ぐように載置すると、開口部６の縁部６ｂと壁面部８ｂの端部８ｅにボタン形電池４の外周面４ｃが当接する。
更に、ボタン形電池４を電池収納部５に押し込むと、電池ホルダ４が閉状態になる方向に回動するように開口部６の縁部６ｂの位置と壁面部８ｂの端部８ｅの位置と電池ホルダ８の回動溝８ｃの位置が設定されている。
【００１２】
また、開口部６の端部６ｂと壁面部８ｂの端部８ｅは、それぞれボタン形電池４の外周面４ｃと面接触して円滑にボタン形電池４がスライドするようにテーパ状に加工されている。
【００１３】
以上のように構成したボタン形電池収納構造におけるボタン形電池４の装填動作と取出動作について説明する。
先ず、ボタン形電池４を電池収納部５に装填するには、電池ホルダ８を開状態にする。そして、図４に又は図５（ａ）示すように、ボタン形電池４の外周面４ｃで開口部６を塞ぐようにボタン形電池４を開口部６に載置すると、ボタン形電池４の外周面４ｃが開口部６の縁部６ｂと壁面部８ｂの端部８ｅに当接する。
【００１４】
次いで、矢印Ａ方向に指先で力を加えて電池ホルダ８を電池収納部５に押し込むと、図５（ｂ）に示すように、ボタン形電池４が開口部６の端部６ｂを摺動しながら電池ホルダ８の端部８ｅを押し下げ、電池ホルダ８が軸部材７を中心に回動し始める。
更に、図５（ｃ）に示すように、電池ホルダ８が軸部材７を中心に回動しながら、壁面部８ｂの両端部８ｅ，８ｆでボタン形電池４を保持し始める。
【００１５】
次いで、電池ホルダ８の壁面部８ｂを介して指先でボタン形電池４を電池収納部５に押し込むと、図５（ｄ）に示すように、電池ホルダ８が完全にボタン形電池４を保持すると共に、ボタン形電池４が電池収納部５に収納される。
従って、ボタン形電池４を開口部６に押し込むだけの操作で、ボタン形電池４を電池ホルダ８に保持させた状態でボタン形電池４を容易に電池収納部５に収納することができる。
【００１６】
次に、電池収納部５に収納されているボタン形電池４を取り出すには、指先の爪を電池ホルダ８に形成した突起部８ｄに引っ掛けて電池ホルダ８を開状態にするよう回動させる。すると、電池ホルダ８に保持されたボタン形電池４が電池収納部５から現れる。
【００１７】
更に、電池ホルダ８を完全な開状態にしてから、電池ホルダ８からボタン形電池４を取り外す。
従って、電池ホルダ８を回動するだけの操作で、ボタン形電池４を電池収納部５から容易に取り出すことができる。
【００１８】
また、ボタン形電池４を電池収納部５に装填する操作としては、従来のように、電池ホルダ８を完全な開状態にしてからボタン形電池４を電池ホルダ８に保持させた後に、電池ホルダ８を閉状態にすることによってボタン形電池４を電池ホルダ８に保持させた状態で電池収納部５に収納することもできる。
【００１９】
従って、本発明に係るボタン形電池収納構造によれば、電池ホルダ８を開状態にしてボタン形電池４を電池ホルダ８に保持させた後に、電池ホルダ８を回動して閉状態にするだけの操作で、ボタン形電池４を容易に電池収納部５に収納することができるし、また電池ホルダ８が開状態の時にボタン形電池４を開口部６に直接押し込むだけの操作でも、ボタン形電池４を電池ホルダ８に保持させた状態で容易に電池収納部５に収納することができる。
【００２０】
なお、上述の発明の実施の形態においては、本発明に係るボタン形電池収納構造を挿耳形補聴器に適用した場合について説明した。
しかし、本発明は、ボタン形電池４を使用するのであれば、挿耳形補聴器以外の電子機器にも適用できる。
【００２１】
【発明の効果】
以上説明したように本発明によれば、ボタン形電池を電池収納部に押し込むと電池ホルダが回動しながらボタン形電池を保持して電池収納部に収納されるように、開口部の縁部の位置と壁面部の端部の位置と軸部材と係合する電池ホルダの回動溝の位置が設定されているので、電池ホルダを開状態にしてボタン形電池を電池ホルダに保持させた後に、電池ホルダを回動して閉状態にするだけの操作でも、また電池ホルダが開状態の時にボタン形電池を開口部に直接押し込むだけの操作でも、ボタン形電池を電池ホルダに保持させた状態で容易に電池収納部に収納することができるので、ボタン形電池の電池収納部への装填作業を確実に行うことができる。
【図面の簡単な説明】
【図１】本発明に係るボタン形電池収納構造を適用した挿耳形補聴器の斜視図
【図２】電池ホルダを外した挿耳形補聴器の斜視図
【図３】挿耳形補聴器の部分断面斜視図
【図４】ボタン形電池を開口部に載置した挿耳形補聴器の斜視図
【図５】本発明に係るボタン形電池収納構造の作用説明図
【図６】従来の電池収納構造を適用した挿耳形補聴器の斜視図
【図７】従来の電池収納構造におけるボタン形電池の状態図
【符号の説明】
１…シェル、２…フェースプレート、４…ボタン形電池、４ｃ…ボタン形電池の外周面、５…電池収納部、６…開口部、６ａ，６ｂ…開口部の縁部、７…軸部材、８…電池ホルダ、８ｂ…壁面部、８ｃ…回動溝、８ｅ，８ｆ…端部。
【図１】
0003688210.tif 000002
【図２】
0003688210.tif 000003
【図３】
0003688210.tif 000004
【図４】
0003688210.tif 000005
【図５】
0003688210.tif 000006
【図６】
0003688210.tif 000007
【図７】
0003688210.tif 000008